【手続補正書】
【提出日】平成31年3月27日(2019.3.27)
【手続補正１】
【補正対象書類名】明細書
【補正対象項目名】００３２
【補正方法】変更
【補正の内容】
【００３２】
図２Ａ〜図２Ｌに関して述べるように、会議カメラ１００のベースからのワイドカメラ２，３，５の高さは好ましくは８インチ（２０．３２センチメートル）よりも大きいため、カメラ２，３，５は会議において典型的なラップトップスクリーンよりも高く、それによって会議出席者Ｍ１，Ｍ２…Ｍｎへの遮られていないおよび／またはほぼ目の高さのビューを有し得る。マイクアレイ４は少なくとも２つのマイクを含み、当該技術において公知であるようにビーム形成、相対的飛行時間、局所化、または受信した信号強度差によって、近くの音または発話への対象方位を得ることができる。マイクアレイ４は、ワイドカメラ２の視野と少なくとも実質的に同じ角度範囲をカバーするように方向付けられた複数のマイクペアを含み得る。
【手続補正２】
【補正対象書類名】明細書
【補正対象項目名】００３３
【補正方法】変更
【補正の内容】
【００３３】
マイクアレイ４は、８インチ（２０．３２センチメートル）よりも高い高さでワイドカメラ２，３，５とともに任意に配列されているため、出席者Ｍ１，Ｍ２…Ｍｎの発言中にアレイ４と当該出席者との間に直接的な「見通し線」がやはり存在し、典型的なラップトップスクリーンによって遮られない。計算およびグラフィカルイベントを処理するためのＣＰＵおよび／またはＧＰＵ（ならびにカメラ回路などの関連付けられた回路）６が、ワイドカメラ２，３，５の各々およびマイクアレイ４に接続されている。ＲＯＭおよびＲＡＭ８が、実行可能コードを保持して受信するためにＣＰＵおよびＧＰＵ６に接続されている。ネットワークインターフェイスおよびスタック１０が、ＣＰＵ６に接続されたＵＳＢ、イーサネット（登録商標）、および／またはＷｉＦｉのために設けられている。１つ以上のシリアルバスがこれら電子部品を相互に接続しており、それらはＤＣ、ＡＣ、またはバッテリパワーによって電力が供給される。
【手続補正３】
【補正対象書類名】明細書
【補正対象項目名】００３６
【補正方法】変更
【補正の内容】
【００３６】
図２Ａから図２Ｌは、図１Ａおよび図１Ｂのデバイスまたは会議カメラ１００のための、ワイドシーンおよび／またはパノラマシーンを収集するのに好適な会議カメラ１４またはカメラタワー１４配列の実施形態の概略図である。「カメラタワー」１４および「会議カメラ」１４は本明細書中では実質的に交換可能に用いられ得るが、会議カメラはカメラタワーでなくてもよい。図２Ａ〜図２Ｌにおけるデバイス１００のベースからのワイドカメラ２，３，５の高さは、好ましくは８インチ（２０．３２センチメートル）よりも大きく１５インチ（３８．１センチメートル）よりも小さい。
【手続補正４】
【補正対象書類名】明細書
【補正対象項目名】００３７
【補正方法】変更
【補正の内容】
【００３７】
図２Ａのカメラタワー１４配列では、複数のカメラがカメラタワー１４のカメラレベル（８から１５インチ（２０．３２から３８．１センチメートル））で周囲に配列され、等角度に離間している。カメラの数はカメラの視野およびスパンすべき角度によって決定され、パノラマのスティッチングされたビューを形成する場合は、スパンする累積角度は個々のカメラ間のオーバーラップを有するべきである。たとえば、図２Ａの場合、各々が１００〜１１０度の視野（破線で示す）である４つのカメラ２ａ，２ｂ，２ｃ，２ｄ（２ａ〜２ｄとラベル付けされている）が互いに９０度に配列されて、カメラタワー１４の周りの３６０度の累積ビューまたはスティッチング可能なもしくはスティッチングされたビューを提供する。
【手続補正５】
【補正対象書類名】明細書
【補正対象項目名】００３９
【補正方法】変更
【補正の内容】
【００３９】
図２Ｃのカメラタワー１４配列では、上向きに方向付けられた単一の魚眼カメラまたはほぼ魚眼のカメラ３ａが、カメラタワー１４のカメラレベル（８から１５インチ（２０．３２から３８．１センチメートル））の頂上に配列されている。この場合、魚眼カメラレンズは３６０度の連続する水平ビュー、および約２１５（たとえば１９０〜２３０）度の垂直視野（破線で示す）を有して配列される。代わりに、たとえば図２Ｄに示すような円筒形の透過性シェル、上部放物面鏡、黒い中央ポスト、テレセントリックレンズ構成を有する単一の反射屈折「円筒画像」カメラまたはレンズ３ｂが、３６０度の連続する水平ビューを有して、約４０〜８０度の垂直視野を有して配列され、水平線上にほぼ中心付けられている。魚眼カメラおよび円筒画像カメラの各々の場合、会議テーブルから８〜１５インチ（２０．３２〜３８．１センチメートル）上に位置決めされる垂直視野は水平線の下を延びて、会議テーブルの周りの出席者Ｍ１，Ｍ２…Ｍｎを腰の高さ以下まで撮像することを可能にする。各カメラ３ａまたは３ｂからの画像、ビデオまたはサブシーンは、デワープまたは歪み補償といった魚眼レンズまたは反射屈折レンズについての公知の光学補正の前後に処理されて対象方位またはサブシーンが識別され得るが、典型的には出力前にそのように補正されることになる。
【手続補正６】
【補正対象書類名】明細書
【補正対象項目名】００４０
【補正方法】変更
【補正の内容】
【００４０】
図２Ｌのカメラタワー１４配列では、複数のカメラがカメラタワー１４のカメラレベル（８から１５インチ（２０．３２から３８．１センチメートル））で周囲に配列され、等角度に離間している。カメラの数は、この場合、完全に連続的なパノラマのスティッチングされたビューを形成することを意図しておらず、スパンする累積角度は個々のカメラ間のオーバーラップ有していない。たとえば、図２Ｌの場合、各々が１３０度以上の視野（破線で示す）である２つのカメラ２ａ，２ｂが互いに９０度に配列されて、カメラタワー１４の両側の約２６０度以上を含む別個のビューを提供する。この配列は、長い会議テーブルＣＴの場合に有用となる。たとえば、図２Ｅの場合、２つのカメラ２ａ〜２ｂがパンしており、および／または縦軸の周りを回転可能であり、本明細書に記載の対象方位Ｂ１，Ｂ２…Ｂｎをカバーしている。各カメラ２ａ〜２ｂからの画像、ビデオまたはサブシーンは、光学補正の前後に本明細書に記載のようにスキャンまたは分析され得る。
【手続補正７】
【補正対象書類名】明細書
【補正対象項目名】００４３
【補正方法】変更
【補正の内容】
【００４３】
図２Ｊでは、図２ｃのカメラと同様の魚眼カメラまたはレンズ３ａ（反射屈折レンズ３ｂと物理的におよび／または概念的に交換可能である）がカメラタワー１４のカメラレベル（８から１５インチ（２０．３２から３８．１センチメートル））の頂上に配列されている。１つの回転可能な、高解像度の、任意に傾いているカメラ７（自身の独立したテレビ会議クライアントソフトウェアまたはインスタンスに任意に接続されている）が対象オブジェクト（ホワイトボードＷＢまたはテーブルＣＴ面上のページもしくは紙など）に方向付け可能である。図６Ａ、図６Ｂおよび図１４に示すように、この配列が有利に働くのは、第１のテレビ会議クライアントが（図１４では「会議室（ローカル）ディスプレイ上でまたはこれに接続されると）、たとえば第１の物理または仮想ネットワークインターフェイスまたはチャネル１０ａを介して、合成されたサブシーンをシーンＳＣカメラ３ａ，３ｂから単一カメラ画像または合成出力ＣＯとして受信し、第２のテレビ会議クライアント（図１４ではデバイス１００内に存在しており、第２の物理または仮想ネットワークインターフェイスまたはチャネル１０ｂを介してインターネットに接続されている）が独立した高解像度画像をカメラ７から受信するときである。
【手続補正８】
【補正対象書類名】明細書
【補正対象項目名】００７３
【補正方法】変更
【補正の内容】
【００７３】
ステップＳ１６において、またはステップＳ１６〜Ｓ１８において代わりにもしくは加えて、少なくとも２０度の画角（たとえばＦＷ１および／またはＳＷ１）の第１の個別のサブシーンが、第１の対象方位Ｂ１，Ｂ２…Ｂｎにおいて広角シーンＳＣから得られる。少なくとも２０度の画角（たとえばＦＷ１および／またはＳＷ１）設定の代わりにまたは当該設定に加えて、第１の個別のサブシーンＦＷ１および／またはＳＷ１は、（たとえばＭ１に特有であるかＭ１，Ｍ２…Ｍｎを表わす）瞳孔間距離の少なくとも２倍から１２倍をスパンする画角として、または、代わりに、もしくはさらに、（たとえばＭ１に特有であるかＭ１，Ｍ２…Ｍｎを表わす）瞳孔間距離と（たとえばＭ１に特有であるかＭ１，Ｍ２…Ｍｎを表わす）肩幅との間の幅をキャプチャするようにスケーリングされた画角として、広角シーンＳＣから得られ得る。より広い肩幅ＳＷｎのサブシーンキャプチャは、より狭い顔幅ＦＷｎを後の参照用に記録し得る。
【手続補正９】
【補正対象書類名】明細書
【補正対象項目名】０１５１
【補正方法】変更
【補正の内容】
【０１５１】
図１９に示すように、本発明に係る実施形態は、単一カメラシーンの代わりに、複数の出席者の合成されたステージビューを提供する。たとえば、図１９では、（アイコン図Ｍ１，Ｍ２およびＭ３によって表わされる）出席者Ｍ１，Ｍ２およびＭ３への潜在的な対象方位Ｂ１，Ｂ２およびＢ３を会議カメラ１００が利用可能である。本明細書に記載のように、局所化されるまたはその他の方法で識別される可能な３人の出席者Ｍ１，Ｍ２，Ｍ３がおり、１人のＳＰＫＲが発言中であるため、ステージＳＴＧ（合成出力ＣＯと同等）は当初、図１９では出席者Ｍ２である活発なスピーカーＳＰＫＲのサブシーンを含む、デフォルト数（この場合は２つ）の関連したサブシーンでポピュレートされ得る。